(57)【特許請求の範囲】
【請求項１】
カウンターの後方に設けられたバックガードと、
前記カウンターの側方に設けられたサイドガードと、
前記バックガードと前記サイドガードとが形成する隅角部において、前記バックガードの上面および前記サイドガードの上面によって支持された載置台とを備え、
前記載置台は、前記バックガードの上面から上方へ鉛直に延びた第１支持部材と、前記サイドガードの上面から上方へ鉛直に延びた第２支持部材と、前記第１支持部材と前記第２支持部材とによって支持され、前記バックガードの上面から上方に間隔を隔てて水平に設けられた載置部材とを有し、
前記載置台を支持するための支持部材として、前記第２支持部材の反対側において前記載置部材から上方へ鉛直に延びた支持プレートをさらに備え、
前記支持プレートは、吊り戸棚の下方に取り付けられたアイレベルカウンターによって支持されていることを特徴とするシステムキッチン。
【請求項２】
前記第１支持部材は、前記載置部材を越えて上方へ延びた形態を有し、壁に取り付けられていることを特徴とする請求項１に記載のシステムキッチン。
【発明の詳細な説明】
【０００１】
【発明の属する技術分野】
本発明は、システムキッチンに関するものである。
【０００２】
【従来の技術】
システムキッチンでは、ベースキャビネット（キッチンキャビネット）の中に食器洗浄機を予め組み込んだ構成が知られている。ベースキャビネットの中に組み込まれたビルトイン・タイプの食器洗浄機はかなり高価である。
【０００３】
【発明が解決しようとする課題】
そこで、システムキッチンの購入に際して、比較的安価な食器洗浄機を別途購入する場合がある。また、システムキッチンの購入後に、必要に応じて食器洗浄機を購入する場合がある。
【０００４】
この場合、食器洗浄機をカウンター部分に常設する構成では、調理スペースが狭くなるという不都合がある。また、吊り戸棚から吊り下げられたボックスの中に食器洗浄機を納める構成では、十分な支持強度および安定性を得ることが困難であるという不都合がある。
【０００５】
本発明は、前述の課題に鑑みてなされたものであり、調理スペースを実質的に狭めることなく、たとえば食器洗浄機を十分な支持強度および安定性をもって設置することのできるシステムキッチンを提供することを目的とする。
【０００６】
【課題を解決するための手段】
前記課題を解決するために、本発明では、カウンターの後方に設けられたバックガードと、
前記カウンターの側方に設けられたサイドガードと、
前記バックガードと前記サイドガードとが形成する隅角部において、前記バックガードの上面および前記サイドガードの上面によって支持された載置台とを備え、
前記載置台は、前記バックガードの上面から上方へ鉛直に延びた第１支持部材と、前記サイドガードの上面から上方へ鉛直に延びた第２支持部材と、前記第１支持部材と前記第２支持部材とによって支持され、前記バックガードの上面から上方に間隔を隔てて水平に設けられた載置部材とを有し、
前記載置台を支持するための支持部材として、前記第２支持部材の反対側において前記載置部材から上方へ鉛直に延びた支持プレートをさらに備え、
前記支持プレートは、吊り戸棚の下方に取り付けられたアイレベルカウンターによって支持されていることを特徴とするシステムキッチンを提供する。
【０００７】
本発明の好ましい態様によれば、前記第１支持部材は、前記載置部材を越えて上方へ延びた形態を有し、壁に取り付けられている。
【００１０】
【発明の実施の形態】
本発明では、バックガードとサイドガードとが形成する隅角部において、載置台がバックガードの上面およびサイドガードの上面によって支持されている。ここで、載置台は、たとえばバックガードの上面から上方へ鉛直に延びた第１支持部材と、サイドガードの上面から上方へ鉛直に延びた第２支持部材と、バックガードの上面から上方に間隔を隔てて水平に設けられた載置部材とを有する。
【００１１】
そして、載置台は、たとえば第１支持部材および第２支持部材から実質的に間隔を隔てた位置において支持部材により支持されている。具体的な形態によれば、載置部材が、たとえば吊り戸棚から延びた吊り支持部材を介して吊り支持されている。あるいは、第２支持部材の反対側において載置部材から上方へ鉛直に延びた支持プレートが、吊り戸棚によって間接的に支持されている。
【００１２】
このように、本発明では、たとえば食器洗浄機を載置するための載置部材がバックガードの上面から上方に間隔を隔てて設けられるため、載置台とカウンターとの間の空間も調理スペースの一部として使用することが可能である。また、載置台はバックガードの上面およびサイドガードの上面によってＬ字状に面支持されているので、食器洗浄機を載置台に設置しても、支持部材にかかる負荷を比較的小さく抑えることができる。
【００１３】
その結果、本発明のシステムキッチンでは、調理スペースを実質的に狭めることなく、たとえば食器洗浄機を十分な支持強度および安定性をもって設置することができる。なお、本発明では、載置部材が矩形状の形態を有し、第１支持部材と第２支持部材との交点の対角位置において載置部材を吊り支持することが好ましい。この構成により、面支持と吊り支持との間で良好な支持バランスを図り、載置台の安定性をさらに向上させることができる。
【００１４】
本発明の実施形態を、添付図面に基づいて説明する。
図１は、本発明の第１実施形態にかかるシステムキッチンの全体構成を概略的に示す図である。また、図２は、第１実施形態にかかるシステムキッチンのレンジおよびシンクを含むカウンター面の平面図である。さらに、図３は、第１実施形態における載置台の構成を概略的に示す図である。
【００１５】
図１および図２を参照すると、第１実施形態のシステムキッチンＳは、床の上に載置されたベースキャビネット１を備えている。ベースキャビネット１の上部には、システムキッチンＳに向かって右側にレンジ２が、左側に一対のシンク３および４が設けられている。システムキッチンＳに向かって左側に設けられたシンク３は、通常の深さを有するシンクである。
【００１６】
一方、システムキッチンＳに向かって右側に設けられたシンク４は、通常のシンク３よりもかなり浅いシンクであって、たとえばスパゲッティの湯切りを行ったり、まな板を置いて魚をさばいたり、まな板の汚れを洗い落としたりするのに使用される。また、レンジ２、シンク３および４が設けられたカウンターの後方には、システムキッチンＳのほぼ全幅に亘って、バックガード５が設けられている。
【００１７】
さらに、カウンターの側方には、バックガード５と同じ高さを有する一対のサイドガード６が設けられている。そして、バックガード５には、シンク３とシンク４とのほぼ中央位置に、湯水混合型の水栓７が設けられている。さらに、レンジ２の上方にはレンジフード８が設けられ、シンク３およびシンク４の上方には一対のウォールキャビネット９および１０が設けられている。
【００１８】
第１実施形態では、システムキッチンＳに向かって左側に設けられたサイドガード６とバックガード５とが形成する隅角部において、載置台１１がバックガード５の上面およびサイドガード６の上面によって支持されている。具体的には、載置台１１は、図３に示すように、バックガード５の上面から上方へ鉛直に延びた第１支持部材１１ａと、サイドガード６の上面から上方へ鉛直に延びた第２支持部材１１ｂと、バックガード５の上面から上方に間隔を隔てて水平に設けられた載置部材１１ｃとから構成されている。
【００１９】
なお、第１支持部材１１ａは、載置部材１１ｃを越えて上方へ延びた形態を有し、たとえばビスを介して、壁（不図示）に取り付けられている。また、載置台１１は、バックガード５の上面およびサイドガード６の上面から実質的に間隔を隔てた位置、すなわち第１支持部材１１ａと第２支持部材１１ｂとの交点の対角位置において、吊り戸棚としてのウォールキャビネット９から吊り支持部材１２を介して吊り支持されている。換言すれば、支持部材１２は、たとえば棒状の中空部材または中実部材であって、ウォールキャビネット９と載置部材１１ｃとを連結している。
【００２０】
このように、第１実施形態では、たとえば食器洗浄機１３を設置するための載置部材１１ｃがバックガード５の上面から上方に間隔を隔てて設けられているため、載置台１１とカウンターとの間の空間１１ｄ（図１を参照）も調理スペースの一部として使用することができる。また、第１実施形態では、載置台１１がバックガード５の上面およびサイドガード６の上面によってＬ字状に面支持されているので、食器洗浄機１３を載置台１１に設置しても、吊り支持部材１２にかかる負荷を、ひいては吊り戸棚（９，１０）にかかる負荷を比較的小さく抑えることができる。その結果、第１実施形態のシステムキッチンＳでは、調理スペースを実質的に狭めることなく、たとえば食器洗浄機１３を十分な支持強度および安定性をもって設置することができる。
【００２１】
さらに、第１実施形態では、載置部材１１ｃが矩形状の形態を有し、第１支持部材１１ａと第２支持部材１１ｂとの交点の対角位置において載置部材１１ｃが吊り支持されているので、面支持と吊り支持との間で良好な支持バランスを図ることができ、ひいては載置台１１の安定性をさらに向上させることができる。なお、第１実施形態において、載置台１１に食器洗浄機１３を設置する場合、載置部材１１ｃには配管用の開口部１１ｅ（図３（ａ）を参照）が形成される。
【００２２】
図４は、本発明の第２実施形態にかかるシステムキッチンの全体構成を概略的に示す図である。また、図５は、第２実施形態にかかるシステムキッチンのレンジおよびシンクを含むカウンター面の平面図である。さらに、図６は、第２実施形態における載置台の構成を概略的に示す図である。第２実施形態は、第１実施形態と類似の構成を有するが、載置台の構成および支持形態が第１実施形態と基本的に相違している。以下、第１実施形態との相違点に着目して、第２実施形態を説明する。
【００２３】
図４を参照すると、一対のウォールキャビネット９および１０の下方には、アイレベル収納庫２２が取り付けられている。アイレベル収納庫２２は、たとえば乾燥庫として使用される。また、アイレベル収納庫２２の下方には、アイレベルカウンター２３が取り付けられている。アイレベルカウンター２３は、たとえば水切り戸棚として使用される。図４および図５を参照すると、第２実施形態においても、システムキッチンＳに向かって左側に設けられたサイドガード６とバックガード５とが形成する隅角部において、載置台２１がバックガード５の上面およびサイドガード６の上面によって支持されている。
【００２４】
また、載置台２１は、図６に示すように、バックガード５の上面から上方へ鉛直に延びた第１支持部材２１ａと、サイドガード６の上面から上方へ鉛直に延びた第２支持部材２１ｂと、バックガード５の上面から上方に間隔を隔てて水平に設けられた載置部材２１ｃと、第２支持部材２１ｂの反対側において載置部材２１ｃから上方へ鉛直に延びた支持プレート２１ｄから構成されている。
【００２５】
なお、第１支持部材２１ａは、載置部材２１ｃを越えて上方へ延びた形態を有し、たとえばビスを介して、壁（不図示）に取り付けられている。また、支持プレート２１ｄは、たとえばビスを介して、アイレベルカウンター２３に取り付けられている。すなわち、載置台２１は、バックガード５の上面およびサイドガード６の上面から実質的に間隔を隔てた位置、すなわち支持プレート２１ｄの位置において、吊り戸棚（９，１０）によって間接的に支持されている。
【００２６】
このように、第２実施形態においても、たとえば食器洗浄機１３を設置するための載置部材２１ｃがバックガード５の上面から上方に間隔を隔てて設けられているため、載置台２１とカウンターとの間の空間も調理スペースの一部として使用することができる。また、第２実施形態においても、載置台２１がバックガード５の上面およびサイドガード６の上面によってＬ字状に面支持されているので、食器洗浄機１３を載置台に設置しても、支持プレート２１ｄにかかる負荷を、ひいては吊り戸棚（９，１０）にかかる負荷を比較的小さく抑えることができる。その結果、第２実施形態のシステムキッチンＳにおいても、調理スペースを実質的に狭めることなく、たとえば食器洗浄機１３を十分な支持強度および安定性をもって設置することができる。
【００２７】
さらに、第２実施形態では、載置部材２１ｃが矩形状の形態を有し、第２支持部材２１ｂの反対側において支持プレート２１ｄがアイレベルカウンター２３に取り付けられているので、良好な支持バランスを図ることができ、ひいては載置台２１の安定性をさらに向上させることができる。なお、第２実施形態において、載置台２１に食器洗浄機１３を設置する場合、載置部材２１ｃには配管用の開口部２１ｅ（図６（ａ）を参照）が形成される。
【００２８】
なお、上述の各実施形態では、食器洗浄機を設置するための載置台に対して本発明を適用しているが、これに限定されることなく、他の適当な調理器具などの設置に対して本発明を適用することもできる。
【００２９】
【発明の効果】
以上説明したように、本発明では、バックガードとサイドガードとが形成する隅角部において、載置台がバックガードの上面およびサイドガードの上面によって支持されている。そして、たとえば食器洗浄機を載置するための載置部材がバックガードの上面から上方に間隔を隔てて設けられるため、載置台とカウンターとの間の空間も調理スペースの一部として使用することが可能である。
【００３０】
また、載置台はバックガードの上面およびサイドガードの上面によってＬ字状に面支持されているので、食器洗浄機を載置台に設置しても、支持部材にかかる負荷を比較的小さく抑えることができる。その結果、本発明のシステムキッチンでは、調理スペースを実質的に狭めることなく、たとえば食器洗浄機を十分な支持強度および安定性をもって設置することができる。
【図面の簡単な説明】
【図１】本発明の第１実施形態にかかるシステムキッチンの全体構成を概略的に示す図である。
【図２】第１実施形態にかかるシステムキッチンのレンジおよびシンクを含むカウンター面の平面図である。
【図３】第１実施形態における載置台の構成を概略的に示す図である。
【図４】本発明の第２実施形態にかかるシステムキッチンの全体構成を概略的に示す図である。
【図５】第２実施形態にかかるシステムキッチンのレンジおよびシンクを含むカウンター面の平面図である。
【図６】第２実施形態における載置台の構成を概略的に示す図である。
【符号の説明】
Ｓ  システムキッチン
１  ベースキャビネット
２  レンジ
３，４  シンク
５  バックガード
６  サイドガード
７  水栓
８  レンジフード
９，１０  ウォールキャビネット
１１，２１  載置台
１２  吊り支持部材
１３  食器洗浄機
２２  アイレベル収納庫
２３  アイレベルカウンター
【図１】
0004108345.tif 000002
【図２】
0004108345.tif 000003
【図３】
0004108345.tif 000004
【図４】
0004108345.tif 000005
【図５】
0004108345.tif 000006
【図６】
0004108345.tif 000007